(57)【要約】【課題】  壁材に透孔を穿孔する穿孔刃が配線ボックスに接触しても、配線ボックスが損傷したり、穿孔刃の破損したりするのを防止することができる配線ボックスを提供することである。【解決手段】  周壁により囲まれてその少なくとも一方に開口が形成されたボックス本体を備え、壁裏に配置されるとともに、壁材に穿設される透孔により前記開口の略全体が壁表に臨まされる配線ボックスであり、前記周壁は、その開口端面に軟質材料により形成された軟質部を備えており、前記透孔を穿設する穿孔刃が前記周壁と接触して該穿孔刃又は配線ボックスが破損するのを防止する。【選択図】図１
2010246224.tif 000002
【特許請求の範囲】
【請求項１】
周壁により囲まれてその少なくとも一方に開口が形成されたボックス本体を備え、壁裏に配置されるとともに、壁材に穿設される透孔により前記開口の略全体が壁表に臨まされる配線ボックスであって、
前記周壁の開口端面には、前記透孔を穿設する穿孔刃が前記周壁と接触して該穿孔刃が破損するのを防止すべく、軟質材料により形成された軟質部が設けられていることを特徴とする配線ボックス。
【請求項２】
円回動又は略楕円回動する穿孔刃を備えた穿孔具により壁材に穿設される円形又は略楕円形の１又は複数の透孔により前記開口の略全体が壁表に臨まされる配線ボックスであって、前記ボックス本体には、壁表から探知器により探知され、前記透孔を穿孔する穿孔具の穿孔基準位置を決定するための被探知部を備えていることを特徴とする請求項１記載の配線ボックス。
【請求項３】
前記ボックス本体の周壁の開口端面において、透孔を穿設する前記穿孔刃の通過する軌跡位置に対応する位置には、前記穿孔刃と周壁との接触を避けるための凹部が設けられ、
前記軟質部は、前記凹部に設けられて、周壁の凹部が形成されていない開口端面と略同一面となる開口端面を形成していることを特徴とする請求項２記載の配線ボックス。
【請求項４】
周壁により囲まれてその少なくとも一方に開口が形成されたボックス本体を備え、壁裏に配置されるとともに、円回動又は略楕円回動する穿孔刃を備えた穿孔具により壁材に穿設される円形又は略楕円形の１又は複数の透孔により前記開口の略全体が壁表に臨まされる配線ボックスと、
前記透孔を穿設する穿孔刃を有する穿孔具とからなる配線ボックス装置であって、
前記穿孔具の穿孔刃は、バネ性を有する無端状の金属板よりなり、
前記配線ボックスは、壁表から探知器により探知され、前記透孔を穿孔する穿孔具の穿孔基準位置を決定するための被探知部を備え、
前記周壁の開口端面において、透孔を穿設する前記穿孔刃の通過する軌跡位置に対応する位置には、前記穿孔刃と周壁との接触を避けるための凹部が設けられ、
前記凹部には、前記透孔を穿設する穿孔刃が前記周壁と接触して該穿孔刃が破損するのを防止すべく、軟質材料により形成された軟質部が設けられ、
前記軟質部は、前記周壁の凹部が形成されていない開口端面と略同一となるように設けられてなることを特徴とする配線ボックス装置。
【発明の詳細な説明】
【技術分野】
【０００１】
本発明は、壁裏に設置されるとともに壁を構築する壁材に穿設された透孔により前面が壁表に臨まされる配線ボックス及び配線ボックス装置に関する。
【背景技術】
【０００２】
従来より、壁裏に設置された配線ボックスの前面の略全体を壁表に臨ませるためには、壁表から配線ボックス内に設けられた磁石を磁気探知機で探知して、壁裏に配置された配線ボックスの存在位置を探知する。次に、穿孔具を用いて、磁石の位置を基準とした透孔を壁材に穿設すると、壁裏に配置された配線ボックスの前面の略全体を壁表に臨ませることができる。
【０００３】
ところで、穿孔具を用いて壁材に透孔を穿設する際、探知位置のずれ等により、配線ボックスの開口端面に穿孔刃が接触することが原因となって、壁裏に設置された配線ボックスが位置ズレしたり、配線ボックス自体が損傷を受けたり、穿孔具の穿孔刃が破損したりすることがあった。そこで、特許文献１のように穿孔刃によって壁材に透孔を穿設する際に、穿孔刃との接触を回避できるようにした配線ボックスが提案されている。
【０００４】
特許文献１の配線ボックスは、前面に開口を有する細長四角箱状をなすとともに、配線ボックス内に被探知部が設けられている。また、配線ボックスの開口端面のうち、各被探知部を穿孔中心とした透孔を形成する際、穿孔刃が通過する軌跡に対応する位置に凹部が形成されている。よって、特許文献１の配線ボックスによれば、穿孔具を用いて透孔を壁材に穿設する際、凹部により穿孔刃と配線ボックスの側壁との接触が避けられるため、配線ボックスが位置ズレしたり、配線ボックス自体が損傷を受けたり、穿孔刃は破損したりすることが防止される。
【先行技術文献】
【特許文献】
【０００５】
【特許文献１】特開平１０−６６２２５号公報
【発明の概要】
【発明が解決しようとする課題】
【０００６】
しかしながら、壁材に透孔が穿孔する際、穿孔刃を壁材に押し付けているため、透孔が穿孔された瞬間に穿孔刃が勢いあまって壁材を突き抜けてしまい、特許文献１の配線ボックスのように凹部が設けられていても壁材を突き抜けた穿孔刃が側壁に接触するおそれがあり、配線ボックスが損傷したり、穿孔刃が破損したりするという問題があった。
【０００７】
本発明は、このような従来の技術に存在する問題点に着目してなされたものであり、その目的は、穿孔刃が配線ボックスにあたっても、配線ボックスが損傷したり、穿孔刃が破損したりすることのない配線ボックス及び配線ボックス装置を提供することにある。
【課題を解決するための手段】
【０００８】
上記問題点を解決するために、請求項１に記載の発明は、周壁により囲まれてその少なくとも一方に開口が形成されたボックス本体を備え、壁裏に配置されるとともに、壁材に穿設される透孔により前記開口の略全体が壁表に臨まされる配線ボックスであって、前記周壁の開口端面には、前記透孔を穿設する穿孔刃が前記周壁と接触して該穿孔刃が破損するのを防止すべく、軟質材料により形成された軟質部が設けられていることを要旨としている。
【０００９】
請求項２に記載の発明は、請求項１に記載の配線ボックスにおいて、円回動又は略楕円回動する穿孔刃を備えた穿孔具により壁材に穿設される円形又は略楕円形の１又は複数の透孔により前記開口の略全体が壁表に臨まされる配線ボックスであって、前記ボックス本体には、壁表から探知器により探知され、前記透孔を穿孔する穿孔具の穿孔基準位置を決定するための被探知部を備えていることを要旨としている。
【００１０】
請求項３に記載の発明は、請求項２に記載の配線ボックスにおいて、前記ボックス本体の周壁の開口端面において、透孔を穿設する前記穿孔刃の通過する軌跡位置に対応する位置には、前記穿孔刃と側壁との接触を避けるための凹部が設けられ、前記軟質部は、前記凹部に設けられるともに、該凹部が形成された周壁の他の周壁の開口端面と略同一となるように設けられてなることを要旨としている。
【００１１】
請求項４に記載の発明は、周壁により囲まれてその少なくとも一方に開口が形成されたボックス本体を備え、壁裏に配置されるとともに、円回動又は略楕円回動する穿孔刃を備えた穿孔具により壁材に穿設される円形又は略楕円形の１又は複数の透孔により前記開口の略全体が壁表に臨まされる配線ボックスと、前記透孔を穿設する穿孔刃を有する穿孔具とからなる配線ボックス装置であって、前記穿孔具の穿孔刃は、バネ製を有する無端状の金属板よりなり、前記配線ボックスは、壁表から探知器により探知され、前記透孔を穿孔する穿孔具の穿孔基準位置を決定するための被探知部を備え、前記周壁の開口端面において、透孔を穿設する前記穿孔刃の通過する軌跡位置に対応する位置には、前記穿孔刃と側壁との接触を避けるための凹部が設けられ、前記凹部には、前記透孔を穿設する穿孔刃が前記周壁と接触して該穿孔刃が破損するのを防止すべく、軟質材料により形成された軟質部が設けられ、前記軟質部は、該凹部が形成された周壁の他の周壁の開口端面と略同一となるように設けられてなることを要旨としている。
【発明の効果】
【００１２】
本発明によれば、壁材に透孔を穿孔する穿孔刃が配線ボックスに接触しても、配線ボックスが損傷したり、穿孔刃の破損したりするのを防止することができる。
【図面の簡単な説明】
【００１３】
【図１】本発明の実施例１に係る配線ボックスを示す斜視図。
【図２】本発明の実施例１に係る配線ボックスを示す斜視図。
【図３】実施例１の配線ボックスと穿孔刃の軌跡位置との関係を示す正面図。
【図４】実施例１の配線ボックスを壁裏に設置する状態を示す斜視図。
【図５】実施例１の配線ボックスの開口を壁表に臨ませる透孔を形成する穿孔具の斜視図。
【図６】壁裏に設置した配線ボックスの被探知部を探知して穿孔中心位置を特定した状態を示す斜視図。
【図７】実施例１の配線ボックスと穿孔刃の軌跡位置との関係を示す正面図。
【図８】本発明の実施例２に係る配線ボックスを示す斜視図。
【図９】本発明の実施例２に係る配線ボックスと穿孔刃の軌跡位置との関係を示す正面図。
【図１０】本発明のその他の例の配線ボックスと穿孔刃の軌跡位置との関係を示す正面図。
【発明を実施するための形態】
【００１４】
以下、本発明の第１の実施形態について、図１乃至７に基づいて詳細に説明する。尚、以下の説明において配線ボックスの「上」「下」は、図１に示す矢印Ｚの方向を上下方向とし、「左」「右」は、図１に示す矢印Ｙの方向を左右方向とし、「前」「後」は、図１に示す矢印Ｘの方向を前後方向とする。
【００１５】
図１に示すように、この配線ボックス１は、前面側に開口を有する塩ビやＡＢＳ等の硬質の合成樹脂製材料により形成されたボックス本体１０を備え、ボックス本体１０は、矩形状に形成された底壁１１と、底板１１周縁から前側に延設された周壁１２とを備えた有底箱状に形成されている。尚、周壁１２のうち、１２ａを上側壁、１２ｂを下側壁、１２ｃを左側壁、１２ｄを右側壁とする。
【００１６】
上側壁１２ａ及び下側壁１２ｂには、壁裏に配線されたケーブルをボックス本体内に引き込むための貫通孔１３を備えている。この貫通孔は左側壁１２ｃ及び右側壁１２ｄに開口する略Ｕ字状に形成され、左側壁１２ｃ及び右側壁１２ｄからケーブルを収容する電線管が挿入されるようになっている。また、ボックス本体内側には、配線器具を取り付けるための配線器具取付部１４を備えている。この配線器具取付部１４にはビスが螺合するナットを備えている。
【００１７】
左側壁１２ｃ及び右側壁１２ｄには、間柱に固定するための固定台座１５を備え、該固定台座には、間柱に当接する当接面１５ａと、間柱に固定するためのビスが貫通するビス孔１５ｂとを備えている。また、開口側端面には、ボックス本体の上下方向における中心位置を表示する表示部１６を備えており、間柱に取り付ける際に、取付位置に罫書きされた罫書き線に位置合わせして取り付けることができるようになっている。
【００１８】
底壁１１には、その長辺方向及び短辺方向の中央部には、筒状体１７aが立設されるとともに、この筒状体１７ａの前端部（先端部）には、磁石１７ｂが取着された被探知部１７を備えている。この磁石１７ｂにより、壁表から磁石探知器により、壁裏に設置された配線ボックス１の中心を探知して、配線ボックスの位置を特定することができるようになっている。被探知部１７の前面には、矢印が記載されており、ボックス本体の上下方向がわかるようになっている。この被探知部１７は底壁１１から除去可能になっている。
【００１９】
周壁１２としての各側壁（上側壁１２ａ、下側壁１２ｂ、左側壁１２ｃ、右側壁１２ｄ）の開口端面には、底壁側に凹む凹部１８が形成されている。この凹部１８は、図３に示すように被探知部１７を中心として略楕円形状の透孔を穿設した際に穿孔刃が通過する軌跡位置Ｔに対応する位置に設けられている。また、凹部１８には、凹部１８が形成された周壁の他の周壁の開口端面と同一面となる位置まで軟質塩ビ、ゴム等の軟質材料からなる軟質部１９が設けられている。
【００２０】
さらに具体的に説明すると、配線ボックス１は長方形状の周壁１２と底壁１１を備え、底壁１１と対向する側に開口が形成され、当該周壁１２の開口側となる端面は、周壁の底壁側よりも外方へと延びるフランジが形成されている。そして、当該フランジの前面側であって周壁の開口端面には、四隅を残す各側壁の中央部に、四隅よりも底壁側に凹む凹部１８が形成されている。また、周壁１２の内面から突出形成された配線器具取付部１４にも、その基端側から先端側に向けて前記周壁の開口端面に形成された凹部１８が連続して形成されている。当該周壁開口端面及び配線器具取付部の基端側に形成された凹部１８にはその全体を埋めるように軟質部１９が設けられ、該軟質部１９が構成する開口側端面は、前記周壁四隅の開口端面（周壁の凹部が形成されていない部分の開口端面）と同一面を構成している。
【００２１】
上記構成の配線ボックス１は、図４に示すように壁裏に設けられる間柱Ｐのボックス取り付け位置に罫書いた罫書き線Ｓに表示部１６を位置合わせするとともに、配線ボックスの前面を間柱Ｐの壁表側となる面と面一又は僅かに下がった位置に配置してビスで間柱Ｐに固定し、立設される壁板Ｗ１（とＷ２）によって壁裏（壁内）に隠蔽設置される。このとき配線ボックス１は壁裏面に側壁端面（及び、該側壁端面と同一平面を構成している軟質部の開口端面）が略当接状態となっている。
【００２２】
続いて、壁裏に設置された配線ボックスの開口の略全体を壁表に臨ませるべく、壁表側から略楕円形状の透孔を穿設する穿孔具について説明する。図５に示すように、穿孔具２０は電動回転工具に取り付けられるシャフト２１と、略楕円形状に形成されたバネ性を有する無端状の金属板により形成され、その端面に周方向に沿って複数の穿孔刃２２ａが設けられたリング体２２と、前記穿孔刃よりも先端が突出したセンター軸２３と、カバー体２４とからなっている。前記シャフト２１を電動回転工具により回動させることで当該回動が前記リング体２２に伝達されてリング体２２が回動して、前記穿孔刃２２ａが略楕円形状の軌跡を形成しながらセンター軸２３を中心に回動する。前記リング体２２の略楕円形状は、壁Ｗ１に穿設する透孔によって壁裏の配線ボックス１の開口の略全体を壁表に臨ませ得る大きさに対応している。詳細には、略楕円形状の長辺が対向する一対の配線器具取付部１４よりも長く設定され、略楕円形状の短辺が配線ボックスの対向する側壁（具体的には右側壁１２ｄ及び左側壁１２ｃ）の内面よりも僅かに広く設定されている。
【００２３】
上記穿孔具２０を用いて壁裏に設置した配線ボックス１の開口の略全体を壁表側へと臨ませる方法について説明する。図６に示すように壁裏に設置した配線ボックスの被探知部１７を壁表から磁石探知器により探知して、その探知位置Ｃを壁表面に転記する。そして、前記穿孔具のセンター軸の先端を前記転記した探知位置Ｃに合致させて穿孔刃２２ａ（リング体２２）を回動させながら壁へと穿孔刃２２ａを押圧して、壁に透孔を穿設する。このとき、前記センター軸２３は壁を貫通することなく突き刺さり、該センター軸２３の先端に対して相対的に穿孔刃２２ａ（リング体２２）が壁Ｗ１を穿孔しながら進出する。そして、作業者は透孔が穿設中と穿設後との抵抗の違いで直ちに、電動回転工具のスイッチを操作して穿孔刃２２ａの回動を止めることができる。また、穿孔刃２２ａが壁に透孔を穿設するとほぼ同時に壁へ向けて穿孔刃２２ａを押圧していた押圧力によって、より壁裏側へと穿孔刃２２ａが移動してしまうが、前記軟質部１９に当接してボックス本体の周壁１２に直接衝突することが無い。そのため、穿孔刃２２ａ及び周壁１２を破損・損傷を防ぐことができる。
【００２４】
また、本実施形態の配線ボックスにおいては、図７の点線で示すように、壁表側から探知した探知位置Ｃ´が、被探知部１７の中心からずれてしまう探知誤差によって、前記センター軸が被探知部の中心からずれた位置Ｃ´で透孔を穿設しても、その軌跡位置Ｔ´は軟質部上を通過するため、穿孔刃及び周壁が破損・損傷することを防ぐことができる。また、壁表に探知位置をずれた位置に転記してしまったり、穿孔開始直後に僅かにセンター軸がずれてしまってような場合であっても、同様の効果が期待できる。
【００２５】
本実施形態の配線ボックスは、穿孔刃の軌跡が周壁に内接するような（周壁に囲まれた内部より小さい）楕円形状とすることで、周壁に衝突しない穿孔刃の軌跡となるように穿孔具を設定することで穿孔刃と周壁との衝突を避ける方法も考えられるが、探知によりある一点のみを特定することは難しく、どうしても僅かな探知誤差が生じる。また、穿設する透孔は、取り付ける配線器具の大きさよりも大きい透孔が必要であるとともに、穿孔後のケーブルの引出し・結線等の配線作業のためにも、開口のできるだけ全体を臨ませることが望ましい。そのために、穿孔刃の軌跡を周壁と衝突しないギリギリに設定すると、前記した探知誤差によって穿孔刃と周壁との衝突が免れない。また、探知誤差を考慮して透孔を小さくすると配線器具が取り付けられなくなる。しかし、本実施形態の配線ボックスにおいては、できるだけ大きな透孔を形成しながら、周壁と直接衝突することは避けることができる。つまり、本発明の穿孔刃の軌跡位置とは、探知誤差の範囲を考慮した穿孔刃の軌跡可能性を含む概念であり、その軌跡可能性を含む軌跡位置は、探知誤差等を許容するようなある程度の幅をもっている。
【００２６】
続いて第２の実施形態について図８乃至図９に基いて説明する。なお、第１の実施形態と共通する構成については、同じ符号を付して説明を省略する。本実施形態の配線ボックス１は、長方形状の周壁１２を備え一方に開口が、他方に底壁１１が形成されており、周壁の短辺（１２ａと１２ｂ）側の周壁内部には開口側に内方へと突出する対向した一対の配線器具取付部１４が設けられ、周壁の長辺側の一方（１２ｃ）には柱等に固定するための固定台座１５が設けられている。そして、同一径で円形の２つの透孔を穿孔することで開口の略全体を壁表に臨ませるべく、前記２つの透孔のうちの一方の透孔の穿孔中心となる位置に磁石を備えた被探知部１７が底壁１１から立設している。前記被探知部１７を探知して前記一方の透孔の穿孔中心を特定するとともに、当該特定した位置を基準に他方の透孔の穿孔中心を特定する。
【００２７】
そして、前記開口側の周壁端面及び配線器具取付部１４の基端には、周壁１２の四隅を残して凹む凹部１８が設けられ、該凹部１８には軟質部１９が設けられている。これは、前記２つの透孔を形成する穿孔具の穿孔刃の軌跡位置Ｔに対応している。
【００２８】
また、各実施形態において、周壁の開口端面に形成された凹部の全体に軟質部が設けられ、さらには、凹部が形成されていない周壁の開口端面と略同一面となっている。そのため、壁裏面に周壁及び軟質部により形成された開口端面の全周が略当接して、凹部からのボックス本体内へのホコリ等の侵入が防止される。
【００２９】
なお、上記実施形態は以下のように変更することも可能である。
実施形態において、ボックス本体を長方形状として周壁端面の四隅を残して他の部分（各側壁の中央部）に凹部を形成して軟質部を設けたが、周壁端面の全体に軟質部を設けても良い。また、ボックス本体が丸形状であっても良い。さらには、図１０に示すように、ボックス本体に設けられた対向する一対の配線器具取付部が複数対併設されてボックス本体が横長長方形状としても良い。この場合は、周壁端面に設けられた軟質部が周壁に沿って部分的（配線器具取付部の基端付近）にのみ設けられていれば良い（もちろん、周壁の全体に設けても良い）。
【００３０】
実施形態において、軟質部は、穿孔刃により切断又は切除されてもかまわない。ボックス本体と別に成形した軟質体を周壁の開口端面に接着や嵌着により取り付けて軟質部としても良い。
【００３１】
実施形態において、壁表から探知した被探知部の直上を穿孔具のセンター軸を位置あわせして穿孔中心としたが、探知した位置を基準に、円形又は略楕円形の１又は複数の透孔の穿孔中心を求めても良い。また、被探知部をボックス本体内とせずにボックス本体外（周壁外面側）に設けて探知位置を基準に穿孔中心を割り出しても良い。
【００３２】
実施形態において、被探知部が磁石により構成されているが、壁表から位置を特定できれば、磁石でなくても良い。また、被探知部は底壁から立設した筒状体の先端に設けられているが、筒状体でなくとも良く、周壁や配線器具取付部に設けられていても良い。さらには、被探知部をボックス本体に対して着脱自在に構成して、ボックス本体には、被探知部の取着部を設け、必要に応じて被探知部を取り付けても良い。
【００３３】
実施形態において、配線ボックスの位置が特定できれば、被探知部を省略しても良い。このとき、穿孔刃の軌跡位置が特定しにくいため、周壁端面の全体に軟質部を設けることが望ましい。また、軟質部は、周壁端面と同一平面の開口端面を構成しなくとも、周壁端面よりも下がった位置に開口端面を構成しても良い。
【符号の説明】
【００３４】
１  配線ボックス
１０  ボックス本体
１２  周壁
１７  被探知部
１８  凹部
１９  軟質部
Ｃ  探知位置
Ｔ  穿孔刃の軌跡位置
【図１】
2010246224.tif 000003
【図２】
2010246224.tif 000004
【図３】
2010246224.tif 000005
【図４】
2010246224.tif 000006
【図５】
2010246224.tif 000007
【図６】
2010246224.tif 000008
【図７】
2010246224.tif 000009
【図８】
2010246224.tif 000010
【図９】
2010246224.tif 000011
【図１０】
2010246224.tif 000012